(57)【要約】【課題】大きな回動角度を有する２軸ヒンジ部のフレキシブルケーブルの応力を確実に吸収して経時疲労の小さい且つヒンジ部のサイズが小型な電子機器を提供する。【解決手段】ダブルヒンジ７は中央より片寄った中間部分に形成された抉られ部分２２（２２−１、２２−２）にカメラ本体２のヒンジ係合凹部２３に突設された突出部２４と表示装置５のヒンジ係合凹部２５に突設された突出部２６がそれぞれ入り込んで結合される。カメラ本体２から伸び出したフレキシブルケーブル２９は先ずダブルヒンジ７の第１回動軸２１−１を中心軸として後戻り方向に約１周回り込みながら緩やかに巻装されて位置が平行にずらされてダブルヒンジ７の内部を表示装置５の方向に進み、次に第２回動軸２１−２を中心軸として上記のずれた位置から当初の位置に戻るように約１周回り込みながら巻装されて表示装置５の結合部分から内部に入り表示装置５の不図示の基板のコネクタ列に接続される。【選択図】      図５
2006041340.tif 000002
【特許請求の範囲】
【請求項１】
電子機器の本体装置と、
該本体装置に対して回動自在な第２の装置と、
前記本体装置及び前記第２の装置にそれぞれ回動自在に支持されて、前記本体装置と前記第２の装置を回動自在に結合するヒンジ部と、
該ヒンジ部を経由して前記本体装置と前記第２の装置を電気的に接続するものであって前記本体装置と前記第２の装置の結合部分において前記本体装置と前記ヒンジ部の回動中心回りに巻装される第１の巻装部及び前記第２の装置と前記ヒンジ部の回動中心回りに巻装される第２の巻装部を形成させて配線される可撓性電気基板と、
を備えたことを特徴とする電子機器。
【請求項２】
前記可撓性電気基板は、前記第１の巻装部では、前記本体装置から前記ヒンジ部に進入する方向で見て斜め左（又は右）後ろ方向に回り込みながら約１周巻装されて位置が平行にずらされ、前記第２の巻装部では、ずれた位置から当初の位置に戻すように斜め右（又は左）後ろ方向に回り込みながら約１周巻装されて前記第２の装置に送り込まれることを特徴とする請求項１記載の電子機器。
【請求項３】
前記本体装置と前記ヒンジ部を回動自在に支持する第１の回動軸と、前記第２の装置と前記ヒンジ部を回動自在に支持する第２の回動軸と、を備え、
前記可撓性電気基板は、前記第１の巻装部で前記第１の回動軸回りに巻装され、前記第２の巻装部で前記第２の回動軸回りに巻装される、
ことを特徴とする請求項１又は２に項記載の電子機器。
【請求項４】
前記ヒンジ部は、前記可撓性電気基板が通過する前記本体装置の一部分を回動軸に平行な方向で左右から挟み込む両側部を有し、該両側部のうち前記可撓性電気基板が通過する方の側部が大きく形成されている、
ことを特徴とする請求項２又は３に記載の電子機器。
【請求項５】
前記第１の巻装部の回動中心と前記第２の巻装部の回動中心は略平行であることを特徴とする請求項２又は３記載の電子機器。
【請求項６】
前記第２の装置は、画像表示部が設けられている画像表示装置であることを特徴とする請求項１、２、３、４又は５記載の電子機器。
【請求項７】
前記第２の装置は、前記本体装置に対して略３６０度回動することを特徴とする請求項１、２、３、４、５又は６記載の電子機器。
【請求項８】
前記本体装置は、撮像部を有し、前記第２の装置は所定の回動位置で前記撮像部のレンズ前面を保護することを特徴とする請求項６又は７記載の電子機器。
【発明の詳細な説明】
【技術分野】
【０００１】
本発明は、回動自在に２つに分かれた筐体をフレキシブルケーブルで接続されたデジタルカメラや携帯電話等の電子機器に関する。
【背景技術】
【０００２】
電気機器の携帯性向上のために、機器の一部分を回動自在に設けて、非使用時には回動部をたたみ、使用時には回動部を引き起こして使用できるよう構成された電子機器が数多く存在する。
【０００３】
そして、このような回動部を備えた電子機器では、本体部と回動部の接続に一般にフレキシブルケーブルがよく用いられる。ところで、回動部の回動角度が大きくなってくるとフレキシブルケーブルの変形角度量が大きくなり、繰り返して使用されることによりフレキシブルケーブルが損傷するという問題が発生する。
【０００４】
このようなフレキシブルケーブルの損傷を防止するための解決策としては、電子機器装置のコンピュータ本体部とキーボードとを２軸のヒンジ機構で３６０度回動可能に支持する構成において、両者を接続するフレキシブルケーブルを、ヒンジ機構内部で直線的に通過させるのではなく、ヒンジ機構の回動軸方向の長さを長くして、ヒンジ機構の内部でＵ字型を描くような配線部分を追加させる，つまり回動軸に平行な配線部分を行きと戻りで２箇所設け、３６０度の変位の一部を前記平行な配線部分のねじれ変形で吸収させるようにする、３６０度の屈曲にも対応できるようなフレキシブルケーブルの配線構造が提案されている。（例えば、特許文献１参照。）
また、フレキシブルケーブルの配線構造として、回動軸の外周を巻きつかせるような配線にし、そのカール部分での変形によって、回動部の１８０度の回動でフレキシブルケーブルに発生する応力を吸収するようにした構造が開示されている。（例えば、特許文献２参照。）
【特許文献１】特開平０４−３１５２５０号公報（［要約］、図１、図２）
【特許文献２】特開２００３−０４６２７５号公報（［要約］、図１４）
【発明の開示】
【発明が解決しようとする課題】
【０００５】
しかしながら、上記特許文献１のようなフレキシブルケーブルの配線構造のねじり変形によって変形を吸収するためには、回動軸と平行な方向の配線部を長くしなければならず、必然的に収納部になるヒンジ形状を長くしなければならないことになる。このように、ヒンジの長さ方向のサイズを大きくすることは、電子機器本体のサイズの大型化につながるので、特に携帯電話やデジタルカメラのような小型化が必要な電子機器に、この構造を適用することには限界がある。
【０００６】
また、上記特許文献１のフレキシブルケーブルの配線構造は、回動部の１８０度の回動に対処するためのものであり、３６０度の回動に耐える構造とはなっていない。
本発明の課題は、上記従来の実情に鑑み、２軸ヒンジを備えて大きな回動角度を有する電子機器であっても大きな回動によってフレキシブルケーブルに発生する応力を確実に吸収してフレキシブルケーブルに損傷が生じない且つフレキシブルケーブルを収納するヒンジ部のサイズが小型の電子機器を提供することである。
【課題を解決するための手段】
【０００７】
本発明の電子機器は、電子機器の本体装置と、該本体装置に対して回動自在な第２の装置と、上記本体装置及び上記第２の装置にそれぞれ回動自在に支持されて、上記本体装置と上記第２の装置を回動自在に結合するヒンジ部と、該ヒンジ部を経由して上記本体装置と上記第２の装置を電気的に接続するものであって上記本体装置と上記第２の装置の結合部分において上記本体装置と上記ヒンジ部の回動中心回りに巻装される第１の巻装部及び上記第２の装置と上記ヒンジ部の回動中心回りに巻装される第２の巻装部を形成させて配線される可撓性電気基板と、を備えて構成される。
【０００８】
上記可撓性電気基板は、例えば、上記第１の巻装部では、上記本体装置から上記ヒンジ部に進入する方向で見て斜め左（又は右）後ろ方向に回り込みながら約１周巻装されて位置が平行にずらされ、上記第２の巻装部では、ずれた位置から当初の位置に戻すように斜め右（又は左）後ろ方向に回り込みながら約１周巻装されて上記第２の装置に送り込まれるように構成される。
【０００９】
この電子機器は、例えば、上記本体装置と上記ヒンジ部を回動自在に支持する第１回動軸と、上記第２の装置と上記ヒンジ部を回動自在に支持する第２回動軸と、を備え、上記可撓性電気基板は、上記第１の巻装部で上記第１回動軸回りに巻装され、上記第２の巻装部で上記第２回動軸回りに巻装されるように構成され、また、例えば、上記ヒンジ部は、上記可撓性電気基板が通過する上記本体装置の一部分を回動軸に平行な方向で左右から挟み込む両側部を有し、該両側部のうち上記可撓性電気基板が通過する方の側部を大きく形成されて構成される。また、この場合、例えば、上記第１の巻装部の回動中心と上記第２の巻装部の回動中心は略平行であるように構成されるのが好ましい。
【００１０】
また、この電子機器において、上記第２の装置は、例えば、画像表示部が設けられている画像表示装置であってもよく、また、例えば、上記本体装置に対して略３６０度回動するように構成することができる。また、例えば、上記本体装置は、撮像部を有し、上記第２の装置は所定の回動位置で上記撮像部のレンズ前面を保護するように構成することもできる。
【発明の効果】
【００１１】
本発明によれば、フレキシブルケーブルの巻装部を２箇所に設けるので、回動部の大きな回動にもフレキシブルケーブルが良く耐えることができる。また２箇所の巻装部を通過後のフレキシブルケーブルの位置が元に戻るので、小型なヒンジ部を実現することが容易となる。また、同様に２箇所の巻装部を通過後のフレキシブルケーブルの位置が元に戻るので、巻装部でフレキシブルケーブルの位置ずれを生じることがないので、常に安定した回動動作を維持することができる。
【発明を実施するための最良の形態】
【００１２】
以下、本発明の実施の形態を図面を参照しながら説明する。
【実施例１】
【００１３】
図１の上は、実施例１としてのカメラの上面図であり、図１の下は、その正面図である。尚、図１は、カメラの表示装置が閉成位置に畳まれているときのカメラの全体図である。また、図１に示すカメラは、電子機器の一例としてデジタルカメラを取り上げて示している。
【００１４】
図１に示すように、カメラ１は、カメラ本体２の正面の図の左側ほぼ１／３（幅方向の寸法で）に把持部３が形成され、把持部３の上部にはセルフタイマ用報知窓４が設けられている。またカメラ本体２の右側ほぼ２／３を、表示装置５がその背面（非表示面５−１）をカメラ正面方向に見せて覆っており、その表示装置５の上部にはカメラの種々の状態を点灯又は点滅報知するための報知部６−１が設けられ、表示装置５の下部に２つの平行な支持軸から構成されるダブルヒンジ７が取り付けられている。また、カメラ１の上面には、セルフタイマ用報知窓４の上方に当たる位置に、ズームレバー８とシャッタボタン９が配置され、その右方にリモコン用受光窓１１が配置されている。
【００１５】
図２は、カメラの表示装置が下位置に回動しているときのカメラの全体図であり、右下は正面図、左は接続部が設けられている方の側面図、右上は上面図である。
図２に示すように、表示装置５がダブルヒンジ７を支点にして下方位置に回動すると、カメラ本体２の開成された前面上部左側（カメラ全体としてはほぼ中央）に撮影レンズ窓１３、上部右端にストロボ窓１４、その下にマイク１５が、それぞれ現われる。また、表示装置５がその表示面５−２を前面に向けて配置される。表示装置５は液晶表示装置から成り、表示面５−２は液晶表示面である。
【００１６】
表示装置５の表示面５−２の左端やや下方に表示装置５とカメラ本体２との当接部１２が設けられ、表示面５−２の下方には、図１の報知部６−１と対向する位置に報知部６−２が配置され、その右側に電源ボタン１６が設けられている。
【００１７】
尚、報知部６−１及び６−２は、詳しくは後述するが、図１のように表示装置５が畳まれているときでも図２のように開かれているときでも、報知光を外部に放散する。すなわち、一つの光源から出た報知光が表示装置５の表裏両面方向に二分されて報知部６−１及び６−２から放射される。また、図２のように表示装置５が開かれると、ダブルヒンジ７の回動が検出され、これに応じてカメラ電源が起動され、光源が点灯され、所定の報知光が表示装置５の表裏両面方向に放射される。これにより、カメラが起動したことが外部から認知される。
【００１８】
尚、この図２に示す表示装置５の開成位置でのカメラ１の使用方法は、カメラ１の使用者が自分で自分の居る方向を撮影するような場合に、表示装置５の表示面５−２をモニタとして見ながら用いられる方法である。
【００１９】
図３は、図２の右下に示す状態のカメラを背面から見た図である。
図４は、上記の表示装置５を下位置から更にカメラ１の裏側に回り込むように回動させて表示装置５の背面（非表示面５−１）をカメラ本体２の裏面に当接させた状態を示す図である。この図４は、このカメラ１の撮影時の使用態様を示している。また、図４には図１及び図２と同一の構成部分には図１及び図２と同一の番号を付与して示している。
【００２０】
図４に示すように、カメラ１の使用に当たって、表示装置５を図１の状態からカメラ１の裏側に３６０度回動させて回り込ませてカメラ１の背面のほぼ２／３を覆い隠すようにして表示面５−２をカメラ１の背面に配置したとき、カメラ１の背面の残る１／３の面に、モードダイヤル１７、十字ボタン１８、その他の操作ボタン１９（１９−１、１９−２、１９−３）が配設されており、表示装置５の表示面５−１に表示される表示画面を見ながら、種々の操作を行うことができるようになっている。そして、撮影時には、把持部３を手に持って、表示面５−２に映し出される映像を確認しながらシャッタボタン９を押して撮影を行うことが出来る。カメラ起動中は、報知部６−２に表示させることで電源オン中であることを示すことができる。また、表示装置５が開成された状態でも電源ボタン１６の操作によって電源オン・オフの切り替えを行うことができる。
【００２１】
図５において、左に示す図は、図２に示した状態のカメラ１の正面から見たダブルヒンジ７の内部におけるフレキシブルケーブルの配線を示す図であり、中央上に示す図は、ダブルヒンジ７の本体のみを示す斜視図、中央下に示す図は上記ダブルヒンジ７の本体内における二本の回動軸へのフレキシブルケーブルの巻装状態を示す斜視図、右上に示す図は中央上に示す図と中央下に示す図の構成が一体化した状態（つまり左に示す正面図のヒンジ部と同一）を示す斜視図、右下に示す図は、右上に示すように組み上がったダブルヒンジ７を覆うヒンジカバー７−３を示す斜視図である。
【００２２】
図５に示すダブルヒンジ７は、第１回動軸２１−１を第１回動軸挿通孔７−１に挿通され、第２回動軸２１−２を第２回動軸挿通孔７−２に挿通されて構成される。ダブルヒンジ７は第１回動軸２１−１及び第２回動軸２１−２の挿通部の中央よりやや図の左寄りの中間部分がそれぞれ抉られた形状になっており、この抉られ部分２２（２２−１、２２−２）に、カメラ本体２のヒンジ係合凹部２３に突設された突出部２４と表示装置５のヒンジ係合凹部２５に突設された突出部２６が、それぞれ入り込んで結合される。
【００２３】
つまりカメラ本体２と表示装置５は、それぞれヒンジ係合凹部２３及び２５によって、それぞれダブルヒンジ７を両側から挟み込むと同時に、そのダブルヒンジ７によって突出部２４及び２６をそれぞれ両側から挟み込まれる状態で、第１回動軸２１−１と第２回動軸２１−２を介して回動可能に三者相互に保持されている（図２の右下も参照）。
【００２４】
換言すれば、カメラ本体２とダブルヒンジ７だけを見れば、ダブルヒンジ７は、上記のようにカメラ本体２の一部分である突出部２４を回動軸（第１回動軸２１−１及び第２回動軸２１−２）に平行な方向で、左右から挟み込む両側部２７及び２８を有しているということができる。また、上記両側部２７及び２８のうち可撓性電気基板としてのフレキシブルケーブル２９が通過する方の側部２８が他の側部２７よりも大きく形成されている。
【００２５】
図６は、図５の左に示す状態の分解斜視図である。図６に示すように、カメラ本体２のヒンジ係合凹部２３に形成された突出部２４には、横方向（ヒンジ係合凹部２３の広いほうの凹部方向）に開口するフレキシブルケーブル送出口３１が形成されている。また、このカメラ本体２のヒンジ係合凹部２３の両端面には第１回動軸２１−１の軸受穴３２−１及び３２−２が形成されている。
【００２６】
他方、表示装置５のヒンジ係合凹部２５の両端面には第２回動軸２１−２の軸受穴３３−１及び３３−２が形成されている。また、表示装置５のヒンジ係合凹部２５の突出部２６には、横方向（ヒンジ係合凹部２５の広いほうの凹部方向）に開口するフレキシブルケーブル導入口３４が形成されている。
【００２７】
上記の図５及び図６に示す構成において、カメラ本体２から伸び出したカメラ本体２の不図示の基板のコネクタ列に一端を接続されたフレキシブルケーブル２９は、まずカメラ本体２の結合部分（突出部２４）の内部でダブルヒンジ７の第１の巻装部としての第１回動軸２１−１を中心軸としてカメラ本体２からダブルヒンジ７に進入する方向で見て斜め右（図５の左図参照）後ろ方向に回り込みながら約１周つまり約３６０度緩やかに巻装されて位置が平行にずらされ、フレキシブルケーブル送出口３１からダブルヒンジ７の大きく形成されている方の側部２８の内部に入り、ダブルヒンジ７の内部を表示装置５の方向に進む。
【００２８】
次に、第２の巻装部としての第２回動軸２１−２を中心軸として、上記ずれた位置から当初の位置に戻すように斜め左後ろ方向に回り込みながら約１周つまり略３６０度緩やかに巻装されて表示装置５の結合部分つまり突出部２６のフレキシブルケーブル導入口３４から内部に入り、表示装置５の不図示の基板のコネクタ列にフレキシブルケーブル２９の他端が接続される。
【００２９】
このように、本例では、フレキシブルケーブル２９を、ダブルヒンジ７の二つのヒンジ部（第１回動軸２１−１との係合部及び第２回動軸２１−２との係合部）でそれぞれ略３６０度緩やかに巻装させることにより、表示装置５の３６０度回動時のフレキシブルケーブル２９へ掛かるストレスを緩和する。本例では、巻装の方向を第１回転軸２１−１では斜め右方向、第２回転軸では斜め左方向としたが、これは側部２７よりもスペースを広くとった側部２８でフレキシブルケーブル２９を通過させるようにしたからで、逆に側部２７のスペースを広くして側部２７内を通過させるようにする場合には、第１回転軸２１−１では斜め左方向、第２回転軸では斜め右方向にするように構成すればよい。
【００３０】
このように、本例のカメラ１は、表示装置５がダブルヒンジ７によりカメラ本体２を回り込むようにして３６０度回動するため、例えば充電のためにスタンド装置に装着するに際しても、２通りの状態を採り得るようになっている。
【００３１】
図７は、充電のためにスタンド装置にカメラ１を装着する方法が２通りあることを説明する図である。尚、同図に示すスタンド装置３５は、充電だけでなく装着されたカメラ１をパーソナルコンピュータやその周辺機器に接続するコネクタも備えているが、本発明の要部ではないので、ここではその構成の詳細な説明は省略する。
【００３２】
図７の右上下に示すスタンド装置３５について簡単に説明すると、スタンド装置３５は収納部３６の後方の側壁を形成する平面部３６−１を有し、この平面部３６−１とほぼ同一面上に回動面３７−１を形成されている円筒形状の回動部３７を平面部３６−１の中央に備えている。
【００３３】
回動部３７は、円筒形状の端面を回動面３７−１とし、この回動面３７−１が、カメラ１が収納部３６に収納されたときカメラ接続部３８（図７の左下の図参照）に対向するように、スタンド装置３５に配置されている。また、回動部３７は、円筒形状の周面を操作部としてその一部をスタンド装置３５の上部に露出するように配置されている。
【００３４】
そして、この回動部３７の回動面３７−１には、カメラ１のカメラ接続部３８と電気的に接続するためのスタンド接続部３９が突設されている。このスタンド接続部３９は、回動部３７の回動面３７−１の回動中心から半径方向にややずれた位置に設けられている。
【００３５】
これにより、収納部３６に収納されたカメラ１の表向き又は裏返しの向きに応じて収納部３６内での位置が異なるカメラ１のカメラ接続部３８に対応して、使用者の操作による回動部３７の１８０°方向の回動により、図７の右上又は右下に示すように２つの位置に置き換わる。
【００３６】
図７の左上に示す図は、図４に示した状態のカメラ１を表示装置５の表示面５−２を上に向けて寝かせた状態を示しており、図７の右上に示す図は、スタンド装置３５の回動部３７を回動させて、スタンド接続部３９と接続禁止部材４１との位置関係を、表示装置５の表示面５−２を上に向けて寝かせたカメラ１の接続部３８に合うように変位させた状態を示している。
【００３７】
この状態で、スタンド装置３５の収納部３６に対し、カメラ１を図７の矢印ｂで示すように移動させて、図７の右上に破線で示すようにカメラ１をスタンド装置３５に装着すると、接続禁止部材４１の先端が、カメラ本体２の段差部２−１に入り込むと共に、スタンド接続部３９がカメラ接続部３８に連結される。
【００３８】
このようにカメラ１を裏向きにスタンド装置３５に装着すると、カメラ１がカメラ接続部３８、スタンド接続部３９及びその不図示のＤＣ電源コネクタを介してＤＣ電源から充電を受けている最中でも、表示装置５の表示面５−２の表示画面を見ながら、モードダイヤル１７や十字ボタン１８あるいはその他の操作ボタン１９（図４参照）を操作して、種々の処理を行うことができる。また、電源ボタン１６による電源のオン・オフを行ったり、報知光を放射する報知部６−２の点灯状態を確認することができる。
【００３９】
また、図７の左下に示す図は、図１に示した状態のカメラ１を正面を上に向けて寝かせた状態を示している。他方、図７の右下に示すスタンド装置３５は、その回動部３７を回動させて、スタンド接続部３９と接続禁止部材４１との位置関係を、正面を上に向けて寝かせたカメラ１の接続部３８に合うように変位させた状態を示している。
【００４０】
この状態で、スタンド装置３５の収納部３６に対し、カメラ１を図７の矢印ｃで示すように移動させて、図７の右下に破線で示すようにカメラ１をスタンド装置３５に装着すると、接続禁止部材４１の先端が、この場合もカメラ本体２の段差部２−１に入り込むと共に、スタンド接続部３９がカメラ接続部３８に連結される。
【００４１】
このように表示装置５の表示面５−２を閉じた状態では、カメラ１の電源は自動的に切断されており、この状態でカメラ１を表向きにスタンド装置３５に装着すると、カメラ１の内蔵電池への充電が開始され、報知光を放射する報知部６−１の点灯状態により充電状態を確認することができる。
【００４２】
図８は、カメラ１がスタンド装置３５に正しく装着されたときの電子機器システムとしてのカメラシステム全体のブロック図である。同図に示すように、先ず、カメラ１は、本体操作部４２と、この本体操作部４２に接続するＣ−ＣＰＵ（カメラＣＰＵ(central-processing-unit））４３と、このＣ−ＣＰＵ４３の信号入出力ポートにバス４４を介して接続された撮像部４５、メモリカード４６、画像処理部４７、及びＩＦ（インターフェース）部４８を備えている。また、バス４４には図５に示したフレキシブル配線２９が接続されている。
【００４３】
Ｃ−ＣＰＵ４３は、不図示のプログラムメモリを内蔵し、そのプログラムメモリに格納されているプログラムにしたがって、本体操作部４２を介してカメラ使用者から入力される指示命令を受けてカメラ１全体を制御する。
【００４４】
上記の表示装置５の画像表示部６４、メモリカード４６、及び画像処理部４７は、バス４４を介して相互にデータの入力又は出力が可能なように構成されている。また、撮像部４５には撮像素子４９が接続され、画像処理部４７には画像信号をＮＴＳＣ等のテレビ信号に変換するビデオ回路部５１が接続されている。
【００４５】
上記の撮像素子４９にはレンズ４８により撮影された映像が結像する。撮像素子４９は、撮像部４５により駆動制御及び増幅、アナログ／デジタル変換され、上記結像の各画素ごとの光量を電気信号に変換して画像処理部４７に出力する。画像処理部４７は、撮像部４５から入力される画像データを色変換や圧縮変換を行い、変換された画像データをメモリカード４６に出力する。
【００４６】
画像表示部６４は、例えば液晶表示装置からなり、撮影画像や操作メニューなどを表示する。
上記のＩＦ部４８にはカメラ接続部３８、スタンド装置３５のスタンド接続部３９、及びスタンド装置３５のＵＳＢコネクタ５３を介して、外部の例えばＰＣ（パーソナルコンピュータ）５４等が接続される。これにより、カメラ１のメモリカード４６に記憶されている撮影済み画像データをＰＣ５４に送信してＰＣ５４に記憶させ、またＰＣ５４の表示装置で画像を表示させることができる。また、ＰＣ５４に既に記憶されている撮影画像を呼び出して確認することもできる。
【００４７】
また、ビデオ回路部５１には、カメラ接続部３８、スタンド装置３５のスタンド接続部３９、及びスタンド装置３５のビデオアウト端子５５を介して、例えばＴＶ（テレビ）５６が接続される。これにより、カメラ１で撮影した画像をＴＶ５６の大型画面に表示させて見ることができる。
【００４８】
本体操作部４２は、図１乃至図４に示したように、各種の入力ボタンやスイッチを備え、これらの入力ボタンやスイッチを介して外部（カメラ使用者）から入力されるイベント情報を制御部に通知する。パワー釦１６の操作によって、カメラ１の電源のオン・オフが制御される。
【００４９】
充電部５７の出力部には内蔵の電池５８が接続され、充電部５７の入力部には、カメラ接続部３８、スタンド装置３５のスタンド接続部３９、及びスタンド装置３５のＤＣ電源コネクタ５９を介してＡＣ／ＤＣコンバータ６１の出力側コネクタが接続される。ＡＣ／ＤＣコンバータ６１の入力側コネクタは例えば宅内商用電源コネクタに接続される。これにより、電池５８が充電される。
【００５０】
Ｃ−ＣＰＵ４３は、電源の状態、あるいは充電の状態等に応じて、バス４４及びフレキシブル配線２９を介して、報知部６−１及び６−２に不図示の導光板を介して報知光を供給するパワー表示用ＬＥＤ６２を所定の点灯方法で発光駆動する。
【００５１】
尚、スタンド装置３５には、上記のスタンド接続部３９のほかに、更に第２のスタンド接続部６３が設けられている。この第２のスタンド接続部６３は、外部配線を介さずに他の電子機器のコネクタに直接電気的に接続するためのものであるが、ここでは説明を省略する。
【００５２】
また、上述した実施例では、いずれも電子機器としてカメラを取り上げて説明しているが、これに限ることなく、電子機器としては、例えば電子手帳などのように、本体装置に対して表示部が３６０度回動するような電子機器の全てに適用できることは言うまでも無い。
【００５３】
尚、本発明のヒンジ部におけるフレキシブル基板の組み付け構造は、ヒンジのサイズを小型に維持できるので、電子機器の中でも、携帯可能なデジタルカメラ、携帯電話、電子手帳のようなＰＤＡ（personal digital assistant）等に適用して用いるに好適である。
【図面の簡単な説明】
【００５４】
【図１】上は実施例１としてのカメラの上面図、下はその正面図である。
【図２】右下はカメラの表示装置が下位置に回動しているときの正面図、左はその接続部が設けられている方の側面図、右上はその上面図である。
【図３】図２の右下に示す状態のカメラを背面から見た図である。
【図４】表示装置を下位置から更にカメラ本体の裏側に回り込むように回動させて表示装置の非表示面側をカメラ本体の裏面に当接させた状態を示す図である。
【図５】左は図２に示した状態のカメラの正面から見たダブルヒンジの内部におけるフレキシブルケーブルの配線を示す図、中央上はダブルヒンジ本体のみを示す斜視図、中央下はダブルヒンジ本体内における二本の回動軸へのフレキシブルケーブルの巻装状態を示す斜視図、右上は中央上と中央下の構成が一体化した状態を示す斜視図、右下は右上のように組み上がったダブルヒンジを覆うヒンジカバーを示す斜視図である。
【図６】ダブルヒンジ部分の分解斜視図である。
【図７】充電のためにスタンド装置にカメラを装着する方法が２通りあることを説明する図である。
【図８】カメラがスタンド装置に正しく装着されたときの電子機器システムとしてのカメラシステム全体のブロック図である。
【符号の説明】
【００５５】
１      カメラ
２      カメラ本体
３      把持部
４      セルフタイマ用報知窓
５      表示装置（液晶表示装置）
５−１  非表示面
５−２  表示面
６−１、６−２  報知部
７      ダブルヒンジ
７−１  第１回動軸挿通孔
７−２  第２回動軸挿通孔
７−３  ヒンジカバー
８      ズームレバー
９      シャッタボタン
１１    リモコン用操作部
１２    当接部
１３    撮影レンズ窓
１４    ストロボ窓
１５    マイク
１６    電源ボタン
１７    モードダイヤル
１８    十字ボタン
１９（１９−１、１９−２、１９−３）  操作ボタン
２１−１  第１回動軸
２１−２  第２回転軸
２２（２２−１、２２−２）  抉られ部分
２３    ヒンジ係合凹部
２４    突出部
２５    ヒンジ係合凹部
２６    突出部
２７、２８  両側部
２９    フレキシブルケーブル
３１    フレキシブルケーブル送出口
３２−１、３２−２、３３−１、３３−２  軸受穴
３４    フレキシブルケーブル導入口
３５    スタンド装置
３６    収納部
３６−１  平面部
３７    回動部
３７−１  回動面
３８    カメラ接続部
３９    スタンド接続部
４１    接続禁止部材
４２    本体操作部
４３    Ｃ−ＣＰＵ（カメラＣＰＵ(central-processing-unit））
４４    バス
４５    撮像部
４６    メモリカード
４７    画像処理部
４８    ＩＦ（インターフェース）部
４９    撮像素子
５１    ビデオ回路部
５２    レンズ
５３    ＵＳＢコネクタ
５４    ＰＣ（パーソナルコンピュータ）
５５    ビデオアウト端子
５６    ＴＶ（テレビ）
５７    充電部
５８    電池
５９    ＤＣ電源コネクタ
６１    ＡＣ／ＤＣコンバータ
６２    パワー表示用ＬＥＤ
６３    第２のスタンド接続部
【図１】
2006041340.tif 000003
【図２】
2006041340.tif 000004
【図３】
2006041340.tif 000005
【図４】
2006041340.tif 000006
【図５】
2006041340.tif 000007
【図６】
2006041340.tif 000008
【図７】
2006041340.tif 000009
【図８】
2006041340.tif 000010